【手続補正書】
【提出日】平成20年1月18日(2008.1.18)
【手続補正１】
【補正対象書類名】明細書
【補正対象項目名】特許請求の範囲
【補正方法】変更
【補正の内容】
【特許請求の範囲】
【請求項１】  干渉構造、望ましくは、少なくとも二層の、異なる材料からの薄膜層を有する構造を含む顔料であって、該干渉構造が少なくとも一つのルミネセント材料を含む光透過性誘電体層を有することによって特徴付けられる、視角に依存するカラー・シフトを有する顔料。
【請求項２】  その構造が、基本的にお互いに平行な第１および第２表面を有する少なくとも一つの光透過性誘電体層と、その誘電体層の少なくとも一つの中に含まれているルミネセント材料を有する誘電体層の該第１および第２表面の各々の上に配置されている少なくとも一つの半透明な部分反射性層を含む、請求項１に記載の顔料。
【請求項３】  その構造が、基本的にお互いに平行な第１および第２表面を有する不透明な全反射性層と、その不透明な全反射性層の該第１および第２表面の少なくとも一つの上に配置されている少なくとも一つのシーケンスとを含み、該シーケンスが、少なくとも一つの誘電性層と、全反射性層に隣接している該シーケンスの誘電性層を有する少なくとも一つの半透明の部分反射性層、およびその誘電性層の少なくとも一つに含まれているルミネセント材料を含んでいる、請求項１に記載の顔料。
【請求項４】  その構造が、基本的にお互いに平行な第１および第２表面を有する不透明な全反射性層と、その不透明な全反射性層の該第１および第２表面の少なくとも一つの上に配置されている少なくとも一つのシーケンスを含んでおり、該シーケンスは、少なくとも一つの仕事関数の大きい電気伝導性層、その全反射性層に隣接している、少なくとも一つの誘電性層および該シーケンスの高仕事関数の電気伝導性層、を有する少なくとも一つの半透明な部分反射性層および、その誘電性層の少なくとも一つの中に含まれているルミネセント材料、を含んでいる、請求項１に記載の顔料。
【請求項５】  該誘電性層の少なくとも一つが、それら自身誘電性層である少なくとも第１および第２サブ層を含み、そのサブ層の少なくとも一つの中にルミネセント材料が含まれる、前記請求項２から４項の中の一項に記載の顔料。
【請求項６】  第１サブ層は、不透明な全反射性層の第１または第２表面の少なくとも一つに隣接しており、そしてルミネセント材料を含み、そして少なくとも第２サブ層は、屈折率が1.50に等しいか1.50より小さい材料、特にＭｇＦ2 およびＡｌＦ3 からなる、請求項５に記載の顔料。
【請求項７】  その構造が、第１および第２表面を有する少なくとも一つの光透過性誘電性層と、その誘電性材料の第１表面と第２表面の少なくとも一つの上に配置されている少なくとも2.00の屈折率を有する、屈折率の大きい材料の少なくとも一つの半透明の部分的反射性層を含んでおり、そのルミネセント材料は、その屈折率の大きい材料の中に含まれている、請求項１に記載の顔料。
【請求項８】  その構造が、第１および第２表面を有する少なくとも一つの不透明な全反射性層と、その誘電性材料の第１表面と第２表面の少なくとも一つの上に配置されている少なくとも2.00の屈折率を有する、屈折率の大きい材料の、少なくとも一つの半透明の部分的反射性層を含んでおり、その屈折率の大きい材料の中に、ルミネセント材料が含まれている、請求項１に記載の顔料。
【請求項９】  該ルミネセント材料を含む誘電性層の少なくとも一つが、希土類元素の三フッ化物、ビスマスの三フッ化物またはそれらの混合物、三価の希土類元素イオンまたはビスマスと、一価のアルカリイオンまたは二価のアルカリ土金属または遷移金属イオン、特に亜鉛との錯フッ化物およびそれらの混合物からなる群から選ばれる、前記請求項１から８項の中の一項に記載の顔料。
【請求項１０】  その希土類元素が、イットリウムおよびランタノイド類からなる群から選ばれる、請求項９に記載の顔料。
【請求項１１】  該ルミネセント材料を含む誘電性層の少なくとも一つが、第３主族の元素またはビスマスまたは三価の遷移元素イオンの三フッ化物あるいはそれらの混合物、第３主族の元素またはビスマスと、アルカリイオン、アルカリ土金属イオンまたは亜鉛との錯フッ化物またはそれらの混合物、からなる群から選ばれる、前記請求項１から８項の中の一項に記載の顔料。
【請求項１２】  該ルミネセント材料を含む誘電性層の少なくとも一つが、第２主族の元素または亜鉛またはカドミウムの二フッ化物、あるいはそれらの混合物、からなる群から選ばれる、請求項１から８項の中の一項に記載の顔料。
【請求項１３】  該ルミネセント材料を含む誘電性層の少なくとも一つが、有機化合物または金属‐有機化合物からなる群から選ばれる、請求項１から８項の中の一項に記載の顔料。
【請求項１４】  該ルミネセント材料が遷移元素イオンである、請求項１から１３項の中の一項に記載の顔料。
【請求項１５】  該遷移元素が希土類イオンである、請求項１から１３項の中の一項に記載の光学的可変性顔料。
【請求項１６】  該ルミネセント材料が有機化合物または金属‐有機化合物である、請求項１から１３項の中の一項に記載の顔料。
【請求項１７】  その少なくとも二つの層が、有機熱可塑性重合系であり、そして、それら層の少なくとも一つが、ルミネセント材料を含む、請求項１に記載の顔料。
【請求項１８】  該ルミネセントが、有機化合物、金属有機化合物および遷移元素イオン、特に希土類イオンからなる群から選ばれる、請求項１７に記載の顔料。
【請求項１９】  該誘電性材料の 0.1〜10％が、ルミネセント材料で置換えられる、前記請求項１から１８項の中の一項に記載の顔料。
【請求項２０】  そのルミネセント材料を含む少なくとも一つの誘電性層を物理的蒸着法により沈着させる工程を含む前記請求項１から１６項の中の一項に記載の顔料を製造する方法。
【請求項２１】  その物理的蒸着法が、スパッタリング、マグネトロン・スパッタリング、熱蒸発、電子ビーム支援蒸発からなる方法から選ばれる、請求項２０に記載の方法。
【請求項２２】  そのルミネセントを含む少なくとも一つの誘電性層を化学的蒸着法により沈着させる工程を含む、請求項１から１６項の中の一項に記載の顔料を製造する方法。
【請求項２３】  化学的蒸着が、熱反応蒸着、反応的スパッタリングおよび流動床コーティングからなる群から選ばれる、請求項２２に記載の方法。
【請求項２４】  そのルミネセント材料を含む少なくとも一つの誘電性層を、化学的湿式法、特に、前駆体材料を溶液中で制御しながら加水分解することにより沈着させる工程を含む、請求項１から１６項の中の一項に記載の顔料を製造する方法。
【請求項２５】  該ルミネセント材料を含む層の少なくとも一つを、押出成形または共‐押出成形から選ばれる方法により製造する工程を含む、請求項１７または１８項の一項に記載の光学的可変性顔料を製造する方法。
【請求項２６】  請求項１から１８項の中の一項に記載の顔料のセキュリティ用途への利用。
【請求項２７】  請求項１から１８項の中の一項に記載の顔料を含む、コーティング用組成物、特に印刷用インキ。
【請求項２８】  請求項２７に記載のコーティング用組成物、特に印刷用インキの層を含む物品、特にセキュリティ書類。
【請求項２９】  請求項１から１８項の中の一項に記載の光学的可変性顔料を含むバルク材料。
【請求項３０】  その顔料が、特にコレステリック液晶系重合体相を有する液晶系光学的可変性顔料を含む、請求項１に記載の顔料。
【手続補正２】
【補正対象書類名】明細書
【補正対象項目名】００１７
【補正方法】変更
【補正の内容】
【００１７】
第２の態様では、このOVP は、基本的にお互いに平行な第１および第２表面を有する不透明な全反射性層と、その不透明な全反射性層の該第１および第２表面の少なくとも一つの上に配置されている少なくとも一つのシーケンスとを含む構造を有し、該シーケンスは、少なくとも一つの誘電性層と、その全反射性層に隣接している該シーケンスの誘電性層を有する少なくとも一つの半透明の部分反射性層およびその誘電性層の少なくとも一つに含まれているルミネセント材料、とを含んでいる。
【手続補正３】
【補正対象書類名】明細書
【補正対象項目名】００２０
【補正方法】変更
【補正の内容】
【００２０】
不透明の全反射性層は、アルミニウム、銀、銅、コバルト‐ニッケル合金、アルミニウム合金のような金属または金属合金から選ばれる。
最も望ましいのは、問題にする全スペクトル領域にわたって99％に近い反射率を有するアルミニウムである。この全反射性層は、50〜150nm の範囲の厚さを有する。
【手続補正４】
【補正対象書類名】明細書
【補正対象項目名】００３９
【補正方法】変更
【補正の内容】
【００３９】
さらなる態様では、該ルミネセント材料は、有機または金属‐有機化合物である。
さらなる態様では、その誘電性層は、二つまたはそれ以上のサブ層(sub-layer) からなり、そしてそのルミネセント材料は、そのサブ層の少なくとも一つの中に含まれる。このサブ層は、それ自身、誘電性層である。ルミネセント材料を含む、このサブ層は、今後、第１サブ層と名付けられる。第１サブ層は、不透明な全反射性層の第１または第２表面の少なくとも一つに隣接しており、そして少なくとも第２サブ層は、屈折率が1.50に等しいか、より小さい材料、特に、ＭｇＦ2およびＡｌＦ3 からなる。
【手続補正５】
【補正対象書類名】明細書
【補正対象項目名】００４４
【補正方法】変更
【補正の内容】
【００４４】
さらなる一つの態様では、このOVP-構造は、第１および第２表面を有する不透明の全反射性層、望ましくはアルミニウム・フレークおよび、その誘電性材料の第１および第２表面の少なくとも一つの上に配置されている少なくとも2.00の屈折率を有する屈折率の大きい材料からの、少なくとも一つの半透明の部分的反射性層を含んでおり、そのルミネセント材料は、この屈折率の大きい材料の中に含まれている。
【手続補正６】
【補正対象書類名】明細書
【補正対象項目名】００５４
【補正方法】変更
【補正の内容】
【００５４】
本発明のさらなる態様では、このOVP はエレクトロルミネセンスを示す。
推奨される一つの態様では、その構造物は、基本的にお互いに平行な第１および第２表面を有する不透明な全反射性層と、その不透明な全反射性層の該第１および第２表面の少なくとも一つの上に配置されている少なくとも一つのシーケンスを含んでおり、該シーケンスは、少なくとも一つの仕事関数の大きい電気伝導性層、その全反射性層に隣接している少なくとも一つの誘電性層および該シーケンスの高仕事関数の電気伝導性層、を有する少なくとも一つの半透明な部分反射性層および、その誘電性層の少なくとも一つの中に含まれているルミネセント材料、を含んでいる。